(57)【要約】【課題】本発明は、語学の学習が良好に行える言語学習用教材を提供するものである。【解決手段】言語を学習するための言語学習用教材であって、言語音声が再生可能に構成された言語音声データを有し、この言語音声データはチャンクごとに区分されており、この区分されたチャンクごとの言語音声データは、チャンクごとに音の高さ、音の大きさ若しくは音色などが異なり、チャンクごとの区別可能なように再生されるデータであることを特徴とする言語学習用教材。【選択図】図１
2020148979.tif 000002
【特許請求の範囲】
【請求項１】
言語を学習するための言語学習用教材であって、言語音声が再生可能に構成された言語音声データを有し、この言語音声データはチャンクごとに区分されており、この区分されたチャンクごとの言語音声データは、チャンクごとに音の高さ、音の大きさ若しくは音色などが異なり、チャンクごとの区別可能なように再生されるデータであることを特徴とする言語学習用教材。
【請求項２】
言語を学習するための言語学習用教材であって、言語音声が再生可能に構成された言語音声データを有し、この言語音声データはチャンクごとに区分されており、この区分されたチャンクごとの言語音声データは、チャンクごとの先頭にチャンクごとに異なる音が再生されるデータであることを特徴とする言語学習用教材。
【請求項３】
言語を修得するための言語学習用教材であって、電子計算機等で加工処理が可能な言語音声データを有し、この言語音声データは、チャンクごとに区分されており、この区分されたチャンクごとの言語音声データは、再生の際、時系列方向へ何らかの変化が生じるよう加工されていることを特徴とする言語学習用教材。
【請求項４】
請求項３記載の言語学習用教材において、前記言語音声データは、空間音響技術により位置情報が付加されていることを特徴とする言語学習用教材。
【発明の詳細な説明】
【技術分野】
【０００１】
本発明は、母国語以外の他言語を学習することを目的とした言語学習用教材に関するものである。
【背景技術】
【０００２】
音声教材を使った学習教材には、会話の内容を音声データとしてCD、デジタルオーディオプレーヤーなどに保存し、再生された音声の聞き取り、聞き取った音声の復唱を行うことで語学を学習するというものがある。
【０００３】
特開2016-206591（以下、従来例という。）では、長文のリスニングが困難な学習者に向けた学習コンテンツを作成する手法として、元の音声から音量レベルに従い複数に分割したリスニング用音声を、専用の再生機器を使用して再生する方法が提案された。
【先行技術文献】
【特許文献】
【０００４】
【特許文献１】特開２０１６−２０６５９１号公報
【発明の概要】
【発明が解決しようとする課題】
【０００５】
しかし、従来例では、話者ごとに音声を分割することを想定して、音量の大きさに応じて音声の分割をおこなう境界を設定し、長文を分割するという手法がとられ、一人の話者がごく長い文を読み上げる場合には長文を分割することが難しく、各話者がごく短い文を読み上げる前提がなければ分割が難しいという問題点がある。
【０００６】
また、従来例では、分割した音声を再生するために、専用の再生装置を準備しなければならないという問題点もある。
【０００７】
本発明は、種々試してみた結果、語学の学習が良好に行える言語学習用教材を提供するものである。
【課題を解決するための手段】
【０００８】
添付図面を参照して本発明の要旨を説明する。
【０００９】
言語を学習するための言語学習用教材であって、言語音声が再生可能に構成された言語音声データを有し、この言語音声データはチャンクごとに区分されており、この区分されたチャンクごとの言語音声データは、チャンクごとに音の高さ、音の大きさ若しくは音色などが異なり、チャンクごとの区別可能なように再生されるデータであることを特徴とする言語学習用教材に係るものである。
【００１０】
また、言語を学習するための言語学習用教材であって、言語音声が再生可能に構成された言語音声データを有し、この言語音声データはチャンクごとに区分されており、この区分されたチャンクごとの言語音声データは、チャンクごとの先頭にチャンクごとに異なる音が再生されるデータであることを特徴とする言語学習用教材に係るものである。
【００１１】
また、言語を修得するための言語学習用教材であって、電子計算機等で加工処理が可能な言語音声データを有し、この言語音声データは、チャンクごとに区分されており、この区分されたチャンクごとの言語音声データは、再生の際、時系列方向へ何らかの変化が生じるよう加工されていることを特徴とする言語学習用教材に係るものである。
【発明の効果】
【００１２】
本発明は上述のように構成したから、語学の学習が非常に効率よく行うことができる言語学習用教材となる。
【図面の簡単な説明】
【００１３】
【図１】実施例１の説明図である。
【図２】実施例２の説明図である。
【発明を実施するための形態】
【００１４】
好適と考える本発明の実施形態を、図面に基づいて本発明の作用を示して簡単に説明する。
【００１５】
複数の文からなる言語音声データは、学習者が聞き取りやすいようにチャンクという単位ごとに区分されているから、１つの文を単語で区切るよりも少ない構成要素数で再生され、１つの文を記憶することが容易になる。この点、単語ごとに区切るより、単語をひとまとめにしたチャンクごとに区切り、学習を行うことで、記憶と想起が効果的に行えることがこれまでの研究で示唆されている（参考文献:CHEN, Zhijian; COWAN, Nelson. Chunk limits and length limits in immediate recall: a reconciliation. Journal of Experimental Psychology: Learning, Memory, and Cognition, 2005, 31.6: 1235.）。
【００１６】
またこの区分されたチャンクは、例えばチャンクごとに音の高さなどが異なるように再生されるものであるから、チャンクと共に語順を学習する事ができる。英語の語順は厳格であり、語順を変えることで文意が大きく変わることから、正確な文意と共に英文を学習するためには、言葉と共に語順を学習する必要がある。本発明では、例えばチャンクごとに音の高さが異なるように再生することで、日本語とは異なる外国語の語順と言葉を関連付けて学習することができ、文意を捉えつつ文を学習することができる（参考文献:佐藤秀樹, et al. 日本語と英語の違いを意識した英語学習―語順, 時制を中心に―. 長野大学紀要, 2015, 37.2: 1-12.）。
【００１７】
さらに修得したチャンクを語順に従って組み立てるようにすれば、リスニングだけではなくスピーキングの学習も行うことが出来る。
【実施例】
【００１８】
＜実施例１＞
本発明の具体的な実施例１について図面に基づいて説明する。実施例１は英語を学習する場合の教材である。
チャンクは英語の学習を行う上で利用される言葉の概念の１つであり、文法上の機能を有する「言葉の単位」という特徴と、認知科学・心理学の分野におけるチャンクとおなじ「記憶の単位」という特徴を持つ言葉の単位を指す。
【００１９】
簡潔には、チャンクは、２語〜７語程度の決まり文句(フレーズ)のことであり、ネイティブスピーカーが日常英会話で使う短文のことである（参考文献:SAATY, Thomas L.; OZDEMIR, Mujgan S. Why the magic number seven plusor minus two. Mathematical and computer modelling, 2003, 38.3-4:233-244.）。
【００２０】
たとえば、以下がチャンクの例である。                                          
want to 〜 (〜したい)
（be）going to 〜 (〜するつもりです)
【００２１】
本実施例では「文法上の機能を有する言葉の単位」という特徴に着目し、２つ以上の単語で１つの品詞を表現する「句」と、主語・定形動詞を備えながら文の構成要素をなす「節」の２種それぞれの先頭をチャンクの分割点として定義し、分割された単語の塊をチャンクと定義する。
【００２２】
まず、図１に示す原文を、句・節の先頭での分割処理にてチャンクに分割し、分割されたチャンクと対応するように音声の分割を行う。以下、このように分割した音声を「チャンク音声」（請求項でいう「言語音声データ」）という。
【００２３】
さらに、分割したチャンク音声に語順の情報を加えるため、チャンク音声に対して語順に応じた変化を加える。例えばチャンクごとに音の高さ、音の大きさ若しくは音色などが異なり、前後のチャンクで何らかの変化を加えるものである。
【００２４】
語順に応じてチャンク音声に変化を加える手法は他に、例えば、チャンク音声ごとに年齢により明らかに声質の違う人の音声が再生されるように構成したり、また、男性大人、女性大人、男性子供、女性子供のような再生順となるようにしても良い。加工した音声は、学習方法に応じて適当なオーディオメディアから再生をおこなう。原文となる文章を記載した紙媒体のテキストを参照しながら、オーディオプレーヤーなどに保存された音声データを再生しても良いし、テキストデータと音声データを備えた学習用アプリケーションを作成しても良い。
【００２５】
更に、図１に示すように分割した音声の先頭にチャンク音声とは別の音声を挿入する。
【００２６】
ここでは、チャンク音声の先頭に、ピアノの音を１音挿入し、語順が後半になるにつれ、音を順次低くすることで語順を表現し、音声チャンクに変化を与える。
【００２７】
音声チャンクの変化は、文単位でリセットする。図１を例として説明すると、コンマで区切られている４つ目のチャンクの後に次の文が続くのであれば、低く推移していたピアノの音を、次の文の文頭で初めの音の高さに戻す。文単位で語順に応じた変化をチャンクに加えることで、文の切れ目を表現することが可能になる。
【００２８】
英語の語順は他の言語に比べて固定されやすいと言われており、語順と基本文型との対応が取れやすいことから、語順の情報の付加が文型を捉えるための補助の役割を果たすことが期待できる。
【００２９】
また、本実施例１はチャンク音声は汎用オーディオプレイヤーで再生できるように構成されているから、非常に利用価値が高い。
【００３０】
＜実施例２＞
本発明の具体的な実施例２について図面に基づいて説明する。
【００３１】
実施例２は、空間音響技術を用いてチャンク音声に音声の位置情報を付加する。
【００３２】
ここで、空間音響技術とは音声に対して音源の位置の情報を付加する技術を指す。イヤホン等の出力機器によるステレオ再生を前提として、左右の耳に提示する音声の音量・周波数等を変化させ、音源の距離、角度の情報を付加させる技術である。
【００３３】
空間音響技術を使用してチャンク音声の語順を表現する方法に、語順に応じてチャンク音声を提示する位置を変化させる。チャンク音声ごとに音源の位置を指定し、時計回りの順にチャンク音声を学習者に聞かせることで語順を表現することができる。
【００３４】
図２に図示したように、４分割されたチャンク音声の場合、図２のような音源位置への配置とする。学習者の頭部を中心とした水平面上にして円周上に音源を配置すると考え、水平面上の円と学習者の正面と交点を０度として、左前４５度から右前４５度まで３０度間隔で４箇所に音源を配置し、左前４５度から時計回りの順に、チャンク音声を文頭から文末にかけて１つずつ各チャンク音声に空間音響処理を施す。
【００３５】
尚、本発明は、実施例１，２に限られるものではなく、各構成要件の具体的構成は適宜設計し得るものである。
【図１】
2020148979.tif 000003
【図２】
2020148979.tif 000004
【手続補正書】
【提出日】令和2年7月15日(2020.7.15)
【手続補正１】
【補正対象書類名】特許請求の範囲
【補正対象項目名】全文
【補正方法】変更
【補正の内容】
【特許請求の範囲】
【請求項１】
言語を学習するための言語学習用教材であって、言語音声が再生可能に構成された言語音声データを有し、この言語音声データはチャンクごとに区分されており、この区分されたチャンクごとの言語音声データは、チャンクごとに音の高さ、音の大きさ若しくは音色が異なり、チャンクごとの区別可能なように再生されるデータであることを特徴とする言語学習用教材。
【請求項２】
言語を学習するための言語学習用教材であって、言語音声が再生可能に構成された言語音声データを有し、この言語音声データはチャンクごとに区分されており、この区分されたチャンクごとの言語音声データは、チャンクごとの先頭にチャンクごとに異なる音が再生されるデータであることを特徴とする言語学習用教材。
【手続補正２】
【補正対象書類名】明細書
【補正対象項目名】全文
【補正方法】変更
【補正の内容】
【発明の詳細な説明】
【技術分野】
【０００１】
本発明は、母国語以外の他言語を学習することを目的とした言語学習用教材に関するものである。
【背景技術】
【０００２】
音声教材を使った学習教材には、会話の内容を音声データとしてCD、デジタルオーディオプレーヤーなどに保存し、再生された音声の聞き取り、聞き取った音声の復唱を行うことで語学を学習するというものがある。
【０００３】
特開2016-206591（以下、従来例という。）では、長文のリスニングが困難な学習者に向けた学習コンテンツを作成する手法として、元の音声から音量レベルに従い複数に分割したリスニング用音声を、専用の再生機器を使用して再生する方法が提案された。
【先行技術文献】
【特許文献】
【０００４】
【特許文献１】特開２０１６−２０６５９１号公報
【発明の概要】
【発明が解決しようとする課題】
【０００５】
しかし、従来例では、話者ごとに音声を分割することを想定して、音量の大きさに応じて音声の分割をおこなう境界を設定し、長文を分割するという手法がとられ、一人の話者がごく長い文を読み上げる場合には長文を分割することが難しく、各話者がごく短い文を読み上げる前提がなければ分割が難しいという問題点がある。
【０００６】
また、従来例では、分割した音声を再生するために、専用の再生装置を準備しなければならないという問題点もある。
【０００７】
本発明は、種々試してみた結果、語学の学習が良好に行える言語学習用教材を提供するものである。
【課題を解決するための手段】
【０００８】
添付図面を参照して本発明の要旨を説明する。
【０００９】
言語を学習するための言語学習用教材であって、言語音声が再生可能に構成された言語音声データを有し、この言語音声データはチャンクごとに区分されており、この区分されたチャンクごとの言語音声データは、チャンクごとに音の高さ、音の大きさ若しくは音色が異なり、チャンクごとの区別可能なように再生されるデータであることを特徴とする言語学習用教材に係るものである。
【００１０】
また、言語を学習するための言語学習用教材であって、言語音声が再生可能に構成された言語音声データを有し、この言語音声データはチャンクごとに区分されており、この区分されたチャンクごとの言語音声データは、チャンクごとの先頭にチャンクごとに異なる音が再生されるデータであることを特徴とする言語学習用教材に係るものである。
【発明の効果】
【００１１】
本発明は上述のように構成したから、語学の学習が非常に効率よく行うことができる言語学習用教材となる。
【図面の簡単な説明】
【００１２】
【図１】実施例の説明図である。
【図２】構成例の説明図である。
【発明を実施するための形態】
【００１３】
好適と考える本発明の実施形態を、図面に基づいて本発明の作用を示して簡単に説明する。
【００１４】
複数の文からなる言語音声データは、学習者が聞き取りやすいようにチャンクという単位ごとに区分されているから、１つの文を単語で区切るよりも少ない構成要素数で再生され、１つの文を記憶することが容易になる。この点、単語ごとに区切るより、単語をひとまとめにしたチャンクごとに区切り、学習を行うことで、記憶と想起が効果的に行えることがこれまでの研究で示唆されている（参考文献:CHEN, Zhijian; COWAN, Nelson. Chunk limits and length limits in immediate recall: a reconciliation. Journal of Experimental Psychology: Learning, Memory, and Cognition, 2005, 31.6: 1235.）。
【００１５】
またこの区分されたチャンクは、例えばチャンクごとに音の高さなどが異なるように再生されるものであるから、チャンクと共に語順を学習する事ができる。英語の語順は厳格であり、語順を変えることで文意が大きく変わることから、正確な文意と共に英文を学習するためには、言葉と共に語順を学習する必要がある。本発明では、例えばチャンクごとに音の高さが異なるように再生することで、日本語とは異なる外国語の語順と言葉を関連付けて学習することができ、文意を捉えつつ文を学習することができる（参考文献:佐藤秀樹, et al. 日本語と英語の違いを意識した英語学習―語順, 時制を中心に―. 長野大学紀要, 2015, 37.2: 1-12.）。
【００１６】
さらに修得したチャンクを語順に従って組み立てるようにすれば、リスニングだけではなくスピーキングの学習も行うことが出来る。
【実施例】
【００１７】
＜実施例＞
本発明の具体的な実施例について図面に基づいて説明する。実施例は英語を学習する場合の教材である。
チャンクは英語の学習を行う上で利用される言葉の概念の１つであり、文法上の機能を有する「言葉の単位」という特徴と、認知科学・心理学の分野におけるチャンクとおなじ「記憶の単位」という特徴を持つ言葉の単位を指す。
【００１８】
簡潔には、チャンクは、２語〜７語程度の決まり文句(フレーズ)のことであり、ネイティブスピーカーが日常英会話で使う短文のことである（参考文献:SAATY, Thomas L.; OZDEMIR, Mujgan S. Why the magic number seven plusor minus two. Mathematical and computer modelling, 2003, 38.3-4:233-244.）。
【００１９】
たとえば、以下がチャンクの例である。                                          
want to 〜 (〜したい)
（be）going to 〜 (〜するつもりです)
【００２０】
本実施例では「文法上の機能を有する言葉の単位」という特徴に着目し、２つ以上の単語で１つの品詞を表現する「句」と、主語・定形動詞を備えながら文の構成要素をなす「節」の２種それぞれの先頭をチャンクの分割点として定義し、分割された単語の塊をチャンクと定義する。
【００２１】
まず、図１に示す原文を、句・節の先頭での分割処理にてチャンクに分割し、分割されたチャンクと対応するように音声の分割を行う。以下、このように分割した音声を「チャンク音声」（請求項でいう「言語音声データ」）という。
【００２２】
さらに、分割したチャンク音声に語順の情報を加えるため、チャンク音声に対して語順に応じた変化を加える。例えばチャンクごとに音の高さ、音の大きさ若しくは音色などが異なり、前後のチャンクで何らかの変化を加えるものである。
【００２３】
語順に応じてチャンク音声に変化を加える手法は他に、例えば、チャンク音声ごとに年齢により明らかに声質の違う人の音声が再生されるように構成したり、また、男性大人、女性大人、男性子供、女性子供のような再生順となるようにしても良い。加工した音声は、学習方法に応じて適当なオーディオメディアから再生をおこなう。原文となる文章を記載した紙媒体のテキストを参照しながら、オーディオプレーヤーなどに保存された音声データを再生しても良いし、テキストデータと音声データを備えた学習用アプリケーションを作成しても良い。
【００２４】
更に、図１に示すように分割した音声の先頭にチャンク音声とは別の音声を挿入する。
【００２５】
ここでは、チャンク音声の先頭に、ピアノの音を１音挿入し、語順が後半になるにつれ、音を順次低くすることで語順を表現し、音声チャンクに変化を与える。
【００２６】
音声チャンクの変化は、文単位でリセットする。図１を例として説明すると、コンマで区切られている４つ目のチャンクの後に次の文が続くのであれば、低く推移していたピアノの音を、次の文の文頭で初めの音の高さに戻す。文単位で語順に応じた変化をチャンクに加えることで、文の切れ目を表現することが可能になる。
【００２７】
英語の語順は他の言語に比べて固定されやすいと言われており、語順と基本文型との対応が取れやすいことから、語順の情報の付加が文型を捉えるための補助の役割を果たすことが期待できる。
【００２８】
また、本実施例はチャンク音声は汎用オーディオプレーヤーで再生できるように構成されているから、非常に利用価値が高い。
【００２９】
＜構成例＞
構成例について図面に基づいて説明する。
【００３０】
空間音響技術を用いてチャンク音声に音声の位置情報を付加する。
【００３１】
ここで、空間音響技術とは音声に対して音源の位置の情報を付加する技術を指す。イヤホン等の出力機器によるステレオ再生を前提として、左右の耳に提示する音声の音量・周波数等を変化させ、音源の距離、角度の情報を付加させる技術である。
【００３２】
空間音響技術を使用してチャンク音声の語順を表現する方法に、語順に応じてチャンク音声を提示する位置を変化させる。チャンク音声ごとに音源の位置を指定し、時計回りの順にチャンク音声を学習者に聞かせることで語順を表現することができる。
【００３３】
図２に図示したように、４分割されたチャンク音声の場合、図２のような音源位置への配置とする。学習者の頭部を中心とした水平面上にして円周上に音源を配置すると考え、水平面上の円と学習者の正面と交点を０度として、左前４５度から右前４５度まで３０度間隔で４箇所に音源を配置し、左前４５度から時計回りの順に、チャンク音声を文頭から文末にかけて１つずつ各チャンク音声に空間音響処理を施す。